(57)【要約】【課題】  冷凍室または野菜室の引き出し扉を電動で開放し、または半ドア状態になっていることを検出したら自動的に閉鎖する装置で、冷蔵庫に電源を投入した際に、扉の開き量が閉じ駆動範囲内であったとしても、勝手に扉駆動装置が動作しないようにする。【解決手段】  前後方向に移動可能な引き出し扉と、前記引き出し扉が閉じ駆動範囲に位置しているときに前記引き出し扉を閉じる方向に付勢する扉駆動装置とを有する冷蔵庫であって、冷蔵庫の電源を入れたときは、前記引き出し扉が前記閉じ駆動範囲に位置している場合でも前記扉駆動装置を駆動しないことを特徴とする冷蔵庫。【選択図】図２１
2008196753.tif 000002
【特許請求の範囲】
【請求項１】
前後方向に移動可能な引き出し扉と、前記引き出し扉が閉じ駆動範囲に位置しているときに前記引き出し扉を閉じる方向に付勢する扉駆動装置とを有する冷蔵庫であって、
冷蔵庫の電源を入れたときは、前記引き出し扉が前記閉じ駆動範囲に位置している場合でも前記扉駆動装置を駆動しないことを特徴とする冷蔵庫。
【請求項２】
請求項１において、前記引き出し扉が前記閉じ駆動範囲に位置している場合でも所定時間前記扉駆動装置を駆動しないようにし、その後前記扉駆動装置を駆動することを特徴とする冷蔵庫。
【請求項３】
請求項２において、前記所定時間経過した後に報知手段により報知することを特徴とする冷蔵庫。
【請求項４】
請求項２又は３において、前記扉駆動装置を駆動する際に報知手段により報知することを特徴とする冷蔵庫。
【請求項５】
前後方向に移動可能な引き出し扉と、前記引き出し扉が閉じ駆動範囲に位置しているときに前記引き出し扉を閉じる方向に付勢する扉駆動装置とを有する冷蔵庫であって、
前記扉駆動装置は引き出し扉側に設けられた連結部材と、本体側に設けられた駆動装置を有し、前記連結部材には摺動部を有し、前記駆動装置には前記摺動部が入る案内ガイドを有し、前記摺動部には磁石を備え、前記案内ガイドには２つのホールＩＣを離間させて設けたことを特徴とする冷蔵庫。
【請求項６】
請求項５において、前記引き出し扉が閉まっているときには、前記２つのホールＩＣは前記磁石を検知し、前記引き出し扉が閉じ駆動範囲に位置しているときには、２つのホールＩＣのうちの一方のみが前記磁石を検知することを特徴とする冷蔵庫。
【請求項７】
請求項５又は６において、前記引き出し扉が前記閉じ駆動範囲に位置している場合でも所定時間前記扉駆動装置を駆動しないようにし、その後前記扉駆動装置を駆動することを特徴とする冷蔵庫。
【請求項８】
請求項７において、前記所定時間経過した後に報知手段により報知することを特徴とする冷蔵庫。
【請求項９】
請求項７又は８において、前記扉駆動装置を駆動する際に報知手段により報知することを特徴とする冷蔵庫。
【発明の詳細な説明】
【技術分野】
【０００１】
本発明は、冷蔵庫に関する。
【背景技術】
【０００２】
従来、冷蔵庫のドアを自動的に開放させる装置としては、高ギヤ比の短距離動作区間と、低ギヤ比の長距離動作区間とを備え、パッキンを引き剥がす際には大きな力を発生し、その後は高速で開放する。低ギヤ部には過負荷防止クラッチを設けた構成が開示されている（例えば、特許文献１参照）。
【０００３】
あるいは、押圧部材をウォームギヤとラックによって直線運動させて、その押圧部材によって引出し扉を押し出して自動開放し、扉が開き終わると、復帰ばねで引込位置に復帰する構成が開示されている（例えば、特許文献２参照）。
【０００４】
あるいは、引き出し扉を支持する支持フレーム内にタイミングベルトを設け、タイミングベルト上を摺動する自動オープンユニットを設け、自動オープンユニットは、引き出しケースを押し出すスライドピンと、タイミングベルト上を動作するローラーと、スライドピンとローラーを駆動させるための駆動手段とで構成した構成が開示されている（例えば、特許文献３参照）。
【０００５】
あるいは、ウォームギヤを用いた減速ギヤの出力段に設けられ、駆動モータへの一定時間の通電による回転動作で前記本体から扉側に突出して扉を開放する、開閉扉への当接部は円弧状の平板状をなすカム装置が開示されている（例えば、特許文献４参照）。
【０００６】
あるいは、駆動装置は回転自在なカムを備え、扉開放スイッチからの信号により駆動装置を介して前記カムを回転させることによりカムの長径部端面が前方に突き出して扉を開放するカム装置であって、前記カムは円と楕円を組み合わせた形状または楕円形状をなすカム装置が開示されている（例えば、特許文献５参照）。
【０００７】
あるいは、引き出し扉の後方に出力軸にカムを備える電動機を備え、カムの回動によりフレームを押し出す。さらにキム一検知用のマイクロスイッチを備える構成が開示されている（例えば、特許文献６参照）。
【０００８】
あるいは、モータの回転を直線動作へ変換し進出と後退を行うスライド部材により扉を開放する扉開放装置と、前記開放装置の動作を制御する制御装置とを備え、前記冷蔵庫電源投入時、前記制御装置は前記スライド部材が後進端位置であるかどうかの検知を行い、前記スライド部材が後進端位置に無い場合は、前記スライド部材を後進端位置に後退させる手段を備える制御が開示されている（例えば、特許文献７参照）。
【０００９】
【特許文献１】特開平０２−１５７５８１号公報
【特許文献２】特開２００１−２８０８２７号公報
【特許文献３】特開２０００−２２０９５７号公報
【特許文献４】特開２００２−２５７４６６号公報
【特許文献５】特開２００１−３１７８６４号公報
【特許文献６】実開平１−１６７５９０号公報
【特許文献７】特開２００６−０４６７４４号公報
【発明の開示】
【発明が解決しようとする課題】
【００１０】
近年では食生活が変化してきており、毎日の食材をこまめに近隣の食品店で購入して調理する食生活から、郊外型の大型スーパーマーケットなどで食品を例えば一週間分まとめて購入し、冷蔵庫に貯蔵することが一般化してきている。また、冷凍食品の利用が増えたことに対応して家庭でも４００リットルを超える容量の大型冷蔵庫が一般的に普及してきている。
【００１１】
ところが、冷蔵庫の大型化に伴って収納される食品の量も増え、冷凍室や野菜室には例えば２０ｋｇ以上の食品を保管するので野菜室や冷凍室の扉を開く力が重くなる、という問題がある。
【００１２】
特に、扉の開き始めにおいては、引き出しのレールの負荷抵抗の他に、冷蔵庫本体に吸着しているマグネットパッキンを引き剥がす力が加わって開き力が特に重くなるので、高齢者など手指の力の弱い人には冷蔵庫を開くのが負担になってきている。
【００１３】
また、冷蔵庫においては扉を閉じる際に閉め方が不十分だったりしていわゆる半ドア状態になると、冷気が外部にもれて冷蔵機能が失われ、かつ電気代が余計にかかって省エネ効果が低減するとともに、保存されている食品の品質が劣化し、さらには冷蔵庫外の外気が冷蔵庫内に侵入して結露し、庫内に水滴が付着するという問題がある。
【００１４】
そこで本発明では、冷蔵庫の引出し扉の開き力を低減して軽快に扉を開放することを可能とするとともに、いわゆる半ドア状態から自動的に扉を閉鎖して省エネ効果を向上させることができる冷蔵庫の引き出し扉駆動装置を提供する。
【００１５】
冷蔵庫の扉においては、扉を閉じた際の冷気のもれを防止するためにマグネット吸着式のパッキンが扉の全周にわたって設けられており、扉が閉じられた際にはマグネットが本体の開口部周囲と吸着している。また、扉を閉じる際には全閉状態に至る近傍、たとえば開き量が残り５０ｍｍ程度にまで閉じられたのちは、ばねなどの力によって扉を引き込むクローザ機構をそなえた構成が一般的である。このような構成のため、冷蔵庫の扉を開く場合には、開き当初においてはマグネットパッキンによる吸着力と、クローザ機構のもつバネによる引っ張り力と、さらに扉と一体に設けられた収納容器に収納された食品とを含んだ引き出し全体を停止状態から引き開ける速度、例えば秒速２００ｍｍ程度まで加速するのに必要な加速力の合計の力を加える必要があるので、特に食品が多量に収納された場合には、扉を引き開ける力は最大の第一の力となる。扉を１０ｍｍ程度引き開けた後は、マグネットパッキンは本体との吸着が引き剥がされるので、扉を引き開ける力はクローザ機構のもつバネによる引っ張り力と、引き出しを加速する加速力の合計である第二の力となる。クローザ機構による閉じる方向への引っ張り力が付与される範囲が扉の閉鎖状態からたとえば５０ｍｍの範囲だとすれば、その範囲においては第二の力が必要となる。さらに開き動作を継続して扉が５０ｍｍ以上開いたのちはクローザ機構はもはや作用しないので、引き出しに加える力は加速力と、さらには引き出しをスライドするためのスライドレールの生じる摩擦力のみとなるので、僅かな力である第三の力で引き出しの開き動作をするのに十分となる。ここで、５０ｍｍ程度開いた時点で引き出しが開き速度に達したものとすれば、第三の力はスライドレールの生じる摩擦力に抗する力のみで十分であり、いずれにしろ第一の力、第二の力よりも僅かな第三の力のみで開き動作を行うには足りる。
【００１６】
冷蔵庫の引き出しを開く際には、上述したように、開き始めが特に重く、ある程度、たとえば５０ｍｍ程度開いてより後はわずかな力で足りる、という特性がある。本発明においては、上記のような冷蔵庫の引き出し扉を引き出す際にかかる力の特性に適合した冷蔵庫引き出し扉駆動装置を提供するものである。
【００１７】
一方、開き動作の際の扉の速度についてであるが、マグネットパッキンを引き剥がす時点では停止状態から動き始めるので、その範囲すなわち第一の力の範囲においては速度はごく小さくてよい。一方、第二・第三の力の範囲まで引き出し扉を開き続けた際には、扉の速度は順次加速して高速化するように動作すれば、ユーザが引き出し扉を手で引っ張る際の動作に近いので、自然な動作となって好適である。本発明においては、さらに上記のような冷蔵庫の引き出し扉を引き出す際の速度の特性に適合した冷蔵庫引き出し扉駆動装置を提供するものである。
【００１８】
さらに、引き出し扉を開く際に扉が開ききるまで開き力が加わり続ける構成では、例えば扉の直前にユーザが立っていた場合、あるいは物が置いてあった場合に、もしそれらに引き出し扉が当たった時にも開き力が加わり続けていて停止しないので危険である。したがって、引き出し扉を開く際には駆動力を加え続けるのではなく、開き始めの短い範囲だけ駆動力を加え、その後は駆動力の範囲で得た初速がスライドレールのもつ摩擦力によって徐々に減速しながら停止する、所謂惰性による動作とした方が安全である。
【００１９】
さらに、停電など扉駆動装置が動作しない状況の場合には、手動により引き出しを開閉することになるので、冷蔵庫引き出し扉駆動装置が設けられていても、手動による引き出し扉の開閉動作を妨げたり、余計な負荷がかかって動作が重くならない構成とすることが望ましい。
【００２０】
また、停電復帰時、あるいは電源投入時に、引き出し扉の開き量が所定の閉じ駆動範囲内にあっても、冷蔵庫の扉駆動装置が勝手に駆動しない方が安全であり、使用者が予測しない動きを防止することが望ましい。
【００２１】
ここで、特許文献１においては短ストロークの扉押し出し手段と長ストロークの扉押し出し手段とが必要であり、構成が複雑である。
【００２２】
特許文献２においては、ウォームとラックを用いた構成を開示しているが、引き出し扉を開く速度であるラックの動作速度は一定の構成なので、マグネットパッキンを押し出すために必要な力を出力が可能なように減速比を大きく（すなわち速度を遅く）一定とする必要がある。そのために動作速度が遅く、さらには扉を閉じる機能については備えていない。
【００２３】
特許文献３においては、引き出しケースを開いた後に駆動手段を逆転させて歯車を逆転させて歯車の噛み合いを外す構成が開示されているが、引き出しを一部だけ開いた状態で歯車の噛み合いを外す構成ないし動作については述べられておらず、また扉を閉じる機能は備えていない。
【００２４】
特許文献４、特許文献５、特許文献６においては、円弧状または楕円形状をなす回転自在なカムを備え、扉開放スイッチからの信号により駆動装置を介して前記カムを回転させることによりカムの長径部端面が前方に突き出して扉を開放するカム装置が開示されているが、このような従来技術による構成においては、カムが回転した際に扉を押し出す量は、カムの回転に伴うカムの半径の変化分のみなので扉を押し出す方向に与えられる速度が低く、扉の開き量は概ねカムによる突き出し量、すなわち扉に対して駆動力を与える駆動範囲に等しく、扉の開き量をさらに大きくすることには限界がある。
【００２５】
特許文献７においては、冷蔵庫電源投入時にスライド部材が後進端に無い場合はスライド部材を後進端位置へ後退させる制御が開示されており、このスライド部材が後進端にない状態で電源投入すると、スライド部材が後退し予測しない動きや、動作音を発生するためユーザの不安を招くことが考えられる。
【００２６】
本発明は、冷蔵庫の設置時や停電復帰時などの電源投入のときに、扉の開き量が閉じ駆動範囲内であっても扉駆動装置が勝手に駆動せず、安全で使用者が予測しない動きを防止することができる冷蔵庫を提供することを目的とする。
【課題を解決するための手段】
【００２７】
本発明の冷蔵庫は、前後方向に移動可能な引き出し扉と、前記引き出し扉が閉じ駆動範囲に位置しているときに前記引き出し扉を閉じる方向に付勢する扉駆動装置とを有する冷蔵庫であって、冷蔵庫の電源を入れたときは、前記引き出し扉が前記閉じ駆動範囲に位置している場合でも前記扉駆動装置を駆動しないことを特徴とする。
【００２８】
又は、前記引き出し扉が前記閉じ駆動範囲に位置している場合でも所定時間前記扉駆動装置を駆動しないようにし、その後前記扉駆動装置を駆動することを特徴とする。
【００２９】
又は、前記所定時間経過した後に報知手段により報知することを特徴とする。
【００３０】
又は、前記扉駆動装置を駆動する際に報知手段により報知することを特徴とする。
【００３１】
又は、前後方向に移動可能な引き出し扉と、前記引き出し扉が閉じ駆動範囲に位置しているときに前記引き出し扉を閉じる方向に付勢する扉駆動装置とを有する冷蔵庫であって、前記扉駆動装置は引き出し扉側に設けられた連結部材と、本体側に設けられた駆動装置を有し、前記連結部材には摺動部を有し、前記駆動装置には前記摺動部が入る案内ガイドを有し、前記摺動部には磁石を備え、前記案内ガイドには２つのホールＩＣを離間させて設けたことを特徴とする。
【００３２】
又は、前記引き出し扉が閉まっているときには、前記２つのホールＩＣは前記磁石を検知し、前記引き出し扉が閉じ駆動範囲に位置しているときには、２つのホールＩＣのうちの一方のみが前記磁石を検知することを特徴とする。
【００３３】
又は、前記引き出し扉が前記閉じ駆動範囲に位置している場合でも所定時間前記扉駆動装置を駆動しないようにし、その後前記扉駆動装置を駆動することを特徴とする。
【００３４】
又は、前記所定時間経過した後に報知手段により報知することを特徴とする。
【００３５】
又は、前記扉駆動装置を駆動する際に報知手段により報知することを特徴とする。
【発明の効果】
【００３６】
本発明によれば、冷蔵庫の引出し扉の開き力を低減して電動で軽快に扉を開放することが可能にし、又は、いわゆる半ドア状態から自動的に電動で扉を閉鎖して省エネ効果を向上させることができる。そして、冷蔵庫の設置時や停電復帰時などの電源投入のときに、扉の開き量が閉じ駆動範囲内であっても扉駆動装置が勝手に駆動せず、安全で使用者が予測しない動きを防止することができる冷蔵庫を提供するものである。
【発明を実施するための最良の形態】
【００３７】
本発明の実施の形態について、以下図面に基づいて説明する。
【００３８】
（冷蔵庫の全体構成）
図１は本発明による冷蔵庫の斜視図であり、図２は縦断面図である。図１および図２において、冷蔵庫本体１は複数の収納室に分割されており、最上部は冷蔵室２となっていてその扉は一例としては左右両側に開く所謂フレンチドアとなっている。冷蔵室２の下側は左右に分割された収納室となっており、例えばその一方は機能切り替え室３となっており、もう一方は図示しない自動製氷装置によって製作された氷を蓄積して取り出す製氷室４となっている。
【００３９】
さらにその下部は手前に引き出して開放可能な引き出し扉を備えた冷凍室５となっており、最下段も引き出し扉を備えた野菜室６となっている構成である。
【００４０】
冷蔵室の扉には操作表示部７が備えられており、冷凍室の開スイッチ８ａと野菜室の開スイッチ８ｂとが備えられており、ユーザが前記のスイッチを押して引き出しの開動作を指示することができる構成である。ここで、冷凍室５が野菜室６より上方に設けられている場合には、冷凍室の開スイッチ８ａを野菜室の開スイッチ８ｂの上方に設け、扉の位置関係と同様に設けておけば、ユーザが操作する際にどちらの開スイッチ８を操作すればよいかがわかり易いので好適である。
【００４１】
（開閉機構の実装（１））
以下、冷凍室５を例に扉駆動装置について説明する。
【００４２】
冷凍室５の扉体５ａ、食品を収納する容器１２、はスライドレール１１によって手前に引き出し自在に支持されている。スライドレール１１の奥側には前記冷凍室５を閉鎖方向に引き込む閉じ付勢手段であるクローザ１３が設けられており、一旦開いた冷凍室５を閉じるさいに、開き量が例えば５０ｍｍ以下になったら図示しないばねの力によって奥側に引き込む力を与え、冷凍室５を閉じる動作を補助して冷凍室５の全周に設けられたマグネットパッキン１４が冷蔵庫本体１と吸着するまで扉を閉じる。
【００４３】
冷凍室５の内部には扉開閉機構１０が設けられている。扉駆動装置１０は、冷蔵庫本体１側に固定して設けられた、駆動源であるモータとモータの回転を減速する減速機構とを備えた駆動機構１５と、冷凍室５の扉５ａとともに開閉され、本実施例では容器１２の奥側下面に設けられた連結部材である連結板１６を備えており、駆動機構１５から連結板
１６に対してスライドレール１１の移動方向に力を加えて冷凍室５を開閉する構成である。駆動機構１５と連結板１６の詳細な構成と機能については後述する。冷凍室５の正面側にはドア検知１７が設けられており、冷凍室５が閉じられていること、あるいは冷凍室５の開き量が例えば３０ｍｍ程度の所定量（後述する、閉じ駆動量である開き量３５）以内であるか否かを検出して、後述する制御回路にその信号を送る。
【００４４】
（３段加速リンクの構成）
次に、駆動機構１５と連結板１６とを備えた扉駆動装置１０の構成について、図３から図５を用いて詳細に説明する。ここで、扉駆動装置１０は冷凍室５に設けられているものとして以下、説明するが、野菜室６についても同様である。
【００４５】
図３は駆動機構１５と連結板１６とを備えた扉駆動装置１０を図２の上方からみた平面図である。図４と図５は駆動機構１５の内部構成の一例を示す斜視図である。
【００４６】
駆動機構１５においては、回転出力軸である駆動軸１８の周りに回転自在に回転駆動体である回転板１９が軸支されており、回転板１９には駆動伝達部材である駆動ピン２０が備えられている。本実施例においては駆動ピン２０は３本設けられており、駆動軸１８からの距離に応じて距離ｒ１に第一の駆動ピン２０ａ、距離ｒ２に第二の駆動ピン２０ｂ、距離ｒ３に第三の駆動ピン２０ｃが設けられており、それぞれの駆動ピン２０は円筒形状をなし、かつ駆動ピン２０の中心軸は駆動軸１８の回転中心軸と平行となっている。ここで、ｒ１＜ｒ２＜ｒ３であるとする。
【００４７】
本実施例においては回転板１９は、冷凍室５を開放する際には矢印ＣＣＷ方向に回転する。連結板１６は先に述べたように冷凍室５の引き出し扉に設けられているので、スライドレール１１に沿って矢印２３方向に移動自在である。図３においては、図示左方向が冷蔵庫の正面側としており、連結板１６が左方向に移動することで冷凍室５は開く。
【００４８】
連結板１６には、冷凍室５を開放する際に第一の駆動ピン２０ａが接する第一の受け面２１ａ、第二の駆動ピン２０ｂが接する第二の受け面２１ｂ、第三の駆動ピン２０ｃが接する第三の受け面２１ｃ、とが備えられている。駆動ピン２０と受け面２１との動作時の詳細な説明は後述する。
【００４９】
図４および図５において、モータ２４の回転軸にはモータピニオン２５が設けられており、アイドラ２６と噛み合って減速される。アイドラ２６とアイドラピニオン２７とは一体として回転し、アイドラピニオン２７はアイドラ２８と噛み合っている。アイドラ２８とアイドラピニオン２９と一体として回転し、アイドラピニオン２９は駆動ギヤ３０と噛み合って減速される。駆動軸１８と駆動ギヤ３０とは連結されており、このようなギヤの構成によりモータ２４の回転速度は例えば１／１００程度に減速され、駆動軸１８に設けられた回転板１６を回転させる。本実施例においては、アイドラ２８とアイドラピニオン２９との間にはトルク制限手段３１を設け、回転板１６に過大な外力が加えられた場合にはトルク制限手段３１が介在してアイドラ２８とアイドラピニオン２９とが互いにすべることで、駆動機構１５の破損を防止できる。また、駆動軸１８には回転検知手段３２を設けて駆動軸１８の回転位置を検出できる構成としている。このような回転検知手段３２の一例は、軸の回転によってその抵抗値が変化する可変抵抗器である。
【００５０】
（開き動作）
次に、本発明による扉駆動装置１０により冷凍室扉５を開く際の動作の詳細について図６を用いて説明する。図６は本発明による扉駆動装置１０が冷凍室５を開放する際の動作を示す図であり、（ａ）が図３と同様に冷凍室５が閉じられている状態を示しており、
（ｂ）（ｃ）（ｄ）（ｅ）の順に動作することで冷凍室５を開放する動作を示している。回転板１９は駆動軸１８のまわりに回転自在であり、連結板１６は図示左右方向に移動自在に支持されており、かつ連結板１６は冷凍室５に備えられているので、連結板１６の左方向への動きが冷凍室５の開き動作を示している。ここで、冷凍室５が閉じられている状態における連結板１６の図示左端の位置を示す基準線を引き込み位置３４として表す。
【００５１】
（ｂ）の状態において、回転板１９は矢印ＣＣＷ方向に回転し、第一の駆動ピン２０ａが第一の受け面２１ａと接し、連結板１６に対して矢印２３ａ方向の力を生じる。このとき、第一の駆動ピン２０ａは駆動軸１８から図３に示した距離ｒ１の位置にあるので、第一の駆動ピン２０ａから連結板１６に伝えられる力は、駆動軸１８に加わるトルクをＴとすれば、Ｔ／ｒ１となる。この力を、冷凍室５のマグネットパッキンを引き剥がす力と、クローザ１３による引込力と、冷凍室５の自重および収納された食品の質量を加速する力の合力よりも大なるように設定することで、マグネットパッキンの吸着を引き剥がして、連結板１６は冷凍室５とともに図示左方向に移動して、冷凍室５は開き始める。
【００５２】
さらに回転板１９がＣＣＷ方向に回転した（ｃ）の状態においては、第二の駆動ピン
２０ｂが第二の受け面２１ｂと接し、第一の駆動ピン２０ａは第一の受け面２１ａからは離反する。すなわち、第二の駆動ピン２０ｂは駆動軸１８から図３に示した距離ｒ２の位置にあり、かつｒ２＞ｒ１となるようにしていて第一の駆動ピン２０ａよりも第二の駆動ピン２０ｂの方が回転中心である駆動軸１８からの距離が離れているので回転の周速が速い。そのため、第二の駆動ピン２０ｂが第二の受け面２１ｂと当接した後は、第一の駆動ピン２０ａは第一の受け面２１ａからは離反するのである。この状態において、第二の駆動ピン２０ｂは第二の受け面２１ｂに接して、矢印２３ｂの力を与える。このとき、第二の駆動ピン２０ｂは駆動軸１８から図３に示した距離ｒ２の位置にあるので、第二の駆動ピン２０ｂから第二の受け面２１ｂを介して連結板１６に伝えられる力は、駆動軸１８に加わるトルクをＴとすれば、Ｔ／ｒ２となる。この力は図６（ｂ）の状態で矢印２３ａの方向に第一の駆動ピン２０ａにより連結板１６に加わる力よりも小なのであるが、マグネットパッキンは既に引き剥がされているので、このときに加わる力はクローザ１３による引込力と、冷凍室５の自重および収納された食品の質量をさらに加速する力の合力よりも大なるように設定すればよく、連結板１６は冷凍室５とともにさらに図示左方向に移動して、冷凍室５の開き動作を継続する。
【００５３】
さらに回転板１９がＣＣＷ方向に回転した（ｄ）の状態においては、第三の駆動ピン
２０ｃが第三の受け面２１ｃと接し、第二の駆動ピン２０ｂは第二の受け面２１ｂからは離反する。
【００５４】
すなわち、第三の駆動ピン２０ｃは駆動軸１８から図３に示した距離ｒ３の位置にあり、かつｒ３＞ｒ２となるようにしていて第二の駆動ピン２０ｂよりも第三の駆動ピン２０ｃの方が回転中心である駆動軸１８からの距離が離れているので回転の周速が速い。そのため、第三の駆動ピン２０ｃが第三の受け面２１ｃと当接した後は、第二の駆動ピン２０ｂは第二の受け面２１ｂからは離反するのである。この状態において、第三の駆動ピン
２０ｃは第三の受け面２１ｃに接して、矢印２３ｃの力を与える。このとき、第三の駆動ピン
２０ｃは駆動軸１８から図３に示した距離ｒ３の位置にあるので、第三の駆動ピン２０ｃから第三の受け面２１ｃを介して連結板１６に伝えられる力は、駆動軸１８に加わるトルクをＴとすれば、Ｔ／ｒ３となる。
【００５５】
この力は図６（ｃ）の状態で矢印２３ｂの方向に第二の駆動ピン２０ｂにより連結板
１６に加わる力よりもさらに小なのであるが、冷凍室５は既に開き動作を行っていて矢印２３ｃの方向に移動しているので、冷凍室５は容器と収納された食品も含めた自重と速度に応じた運動量をもっており、その運動量と第三の駆動ピン２０ｃから連結板１６の第三の受け面２１ｃに伝達される力とによってクローザ１３による引っ張り力に抗して開き動作をさらに継続することができる。
【００５６】
さらに回転板１９がＣＣＷ方向に回転した（ｅ）の状態においては、第三の駆動ピン
２０ｃは第三の受け面２１ｃからほぼ離反する状態を示している。図６（ａ）の状態から図６（ｅ）の状態に至るまでの連結板１６の移動量３３の範囲が、連結板１６が駆動ピン２０から力を受ける範囲である開き駆動範囲、ということになる。ここで、この連結板
１６の移動量３３はクローザ１３による引込量である閉じ付勢範囲よりも大なるように設定すると好適である。すなわち、閉じ付勢範囲であるクローザによる引き込みストロークが４０ｍｍであって連結板１６の移動量３３が５０ｍｍであるとすれば、図６（ｅ）に示した位置で連結板１６が停止、すなわち冷凍室５が停止したとしても、クローザ１３によって開いたばかりの冷凍室５が閉じられることがないためである。ただし、図６（ｅ）の状態よりも冷凍室５が開放されて連結板１６が図示左方に移動すると、連結板１６は駆動ピン２０からの駆動力は受けないのであるが、冷凍室５は矢印２３ｄ方向への速度を持っているので、スライドレール１１のもつ摩擦負荷によって徐々に減速して停止するまでは、開き動作を継続する。このように動作するので、冷凍室５の開き量は連結板１６の移動量３３よりも大きくなる。
【００５７】
上記説明したように、冷凍室５の開き動作時には開き方向への駆動力を加え続けるのではなく、開き始めの短い範囲だけ駆動力を加え、その後は駆動力の範囲で得た移動速度がスライドレールのもつ摩擦力によって徐々に減速しながら停止する動作を実現できるので、扉の直前にユーザが立っていた場合、あるいは物が置いてあった場合に、冷凍室５が当たったとしても開き方向への駆動力が加わっていないので安全である。
【００５８】
以上説明したように、冷凍室５を閉鎖状態から開き始める際には駆動軸１８のもっとも近傍に配置された第一の駆動ピン２０ａが連結板１６を押し出して駆動することで、低速であるが大きな力を出してマグネットパッキンを引き剥がし、引き続き第一の駆動ピン
２０ａよりも遠方に設けられた第二の駆動ピン２０ｂが連結板１６を押し出して中程度の速度で中程度の力を出して駆動することでクローザ１３の引込力に抗して開き動作を継続して冷凍室５を加速し、さらに引き続いて第二の駆動ピン２０ｂよりも駆動軸１８から遠方に設けられた第三の駆動ピン２０ｃが連結板１６を押し出して、力は小さいが高速で駆動することによって冷凍室５をさらに加速することができるので、冷凍室５の開き動作を確実に行うのに都合が良い。
【００５９】
本発明の構成においては、駆動ピン２０が連結板１６と接して駆動力を与える位置は、駆動軸１８からみて、冷凍室５の開き方向２３に対して略直角方向にあるので、駆動ピン２０の速度２３は回転板１９の回転速度と駆動ピン２０までの腕の長さに比例する。このことにより、従来技術において回転するカムを用いて、前記カムと扉部との接点までの半径の変化分のみ扉を押し出す構成と比べて扉を押し出す速度２３を高速化することが容易である。そのような構成なので、開き始めの短い範囲だけ駆動力を加え、その後は駆動力の範囲で得た開き速度２３がスライドレールのもつ摩擦力によって徐々に減速しながら停止する動作を実現することができるので好適である。
【００６０】
上記の動作により冷凍室５が開放された後、回転板１９はさらにＣＣＷ方向への回転を継続し、図６（ａ）の状態に至って回転を停止する。なお、言うまでも無くこの際には連結板１６は図６（ａ）に示す位置ではなく、冷凍室５は開いているので図示左方に移動した状態である。
【００６１】
上記説明したように本発明による扉駆動装置においては、回転板１９は冷凍室５の開き動作を行った後に、同一方向への回転を継続して一回転すれば冷凍室５を閉じた際の状態、すなわち図８にて説明した原点範囲に戻ることができるので、原点範囲に復帰するのが高速で都合がよい。仮に回転板１９が一方向への回転ではなくて冷凍室５の開き動作を行ったのちに一端停止してから逆方向に回転してから原点範囲に復帰する構成であるとすれば、本発明のように一方向への回転と比べれば原点範囲に戻るまでの時間が余計にかかることは明らかである。
【００６２】
（開き量の計算）
本発明の扉開閉機構により、冷凍室５の扉５ａを開く際の開き量について説明する。
【００６３】
図１８は冷凍室５を開放する際の冷凍室の速度と開き量との関係について説明する図であり、図６にて説明した冷凍室扉５ａの開き動作により、移動量３３の範囲において冷凍室扉５ａは扉駆動装置１０によって駆動ピン２０から押し面２１を介して開き方向の力を与えられて開かれる。ここで、冷凍室扉５ａは移動量３３だけ開いた時点（５ａ’）では速度Ｖをもっているので惰性によって開き続けて、さらに惰性開き量７４の間は駆動力なく徐々に減速して最終的に最大開き量７３の位置（５ａ”）まで開いて停止する。
【００６４】
ここで、収容された食品を含めた冷凍室扉５ａの全体の質量をｍとすれば、移動量３３の位置における運動エネルギＥは
Ｅ＝（ｍ×Ｖ＾２）／２  （式１）
である。
【００６５】
ここで、スライドレール１１のもつ摩擦係数をμ、重力加速度をｇとすれば、スライドレール１１により生じる摩擦力Ｆは
Ｆ＝μ×ｍ×ｇ  （式２）
となる。摩擦力により消費されるエネルギＥ２は摩擦力Ｆと摩擦を受けながら移動した距離Ｌすなわち惰性開き量７４との積に当たるので、
Ｅ２＝Ｌ×Ｆ＝Ｌ×μ×ｍ×ｇ  （式３）
ここで、元々冷凍室が持っていた運動エネルギが、停止するまでにすべて摩擦によって消費されたとすればＥ＝Ｅ２だから、
（ｍ×Ｖ＾２）／２＝Ｌ×μ×ｍ×ｇ  （式４）
両辺をｍで割って
（Ｖ＾２）／２＝Ｌ×μ×ｇ  （式５）
ゆえに、惰性開き量７４（すなわちＬ）は（式５）を変形して
Ｌ＝（Ｖ＾２）／（２×μ×ｇ）  （式６）
として表される。すなわち式６により、惰性開き量７４（すなわちＬ）は冷凍室扉５ａの質量ｍには無関係であり、スライドレールの摩擦係数μと移動量３３時点での速度Ｖ、すなわち駆動ピン２０と押し面２１とが離反して、回転板１９から連結板１６に伝達される開き方向の駆動力がなくなって惰性で開き始める時点での速度のみに依存することがわかる。
【００６６】
ここで、冷凍室扉５ａの質量ｍはもちろん収納された食品の量によって異なるが、一方冷凍室を電動で開く場合の冷凍室扉５ａの最大開き量７３は食品の量によらず概ね一定であることが望ましい。すなわち、スライドレール１１の摩擦抵抗μはスライドレール１１によって定まる一定値なので、最大開き量７３を概ね一定とするには速度Ｖの食品の量による変動を少なくすることが望ましい、ということである。そこで、駆動機構１５の減速比を十分に大きくして、モータ２４にかかる負荷トルクの変動を小さくして回転速度の変動を小さくする構成が望ましく、例えば減速比を１／１００以上にすることが望ましい。減速比を大きくすることによって、モータ２４による出力トルクに余裕が増えるので、食品の量の多少によるモータ２４の回転速度の変動を少なくすることができ、食品の量の多少による最大開き量７３の変動を小さくできるので好適である。
【００６７】
（カム構成との対比）
冷凍室５が移動量３３だけ開いて惰性により移動する際の速度Ｖは、図６（ｅ）により説明したように、第三の駆動ピン２０ｃが開き方向２３ｄの方向に移動する速度なので、回転板１９の回転速度に比例し、かつ第三の駆動ピン２１ｃと第三の押し面２１ｃとの接点７５ｃと駆動軸１８の回転中心との距離である回転半径ｒとに比例する。ここで、図６（ｄ）から図６（ｅ）にて示すように、接点７５ｃ（図６（ｅ）においては７５ｄ）の位置は、回転中心である駆動軸１８を基準にしたときに開き方向２３に対してはほぼ直交している方向である、図示上方に位置するために、連結板１６が開き方向２３へ移動する速度は第三の駆動ピン２０ｃが駆動軸１８のまわりに回転する際の円周方向への速度である周速に略等しくなる。
【００６８】
次に、上記にて説明した構成と比較するために、従来から知られているカムを用いた構成における開き速度について、図１３を用いて説明する。図１３において、カム７６は回転中心７７のまわりに回転方向８０の方向に回動自在に軸支されており、外周７８が偏芯した平板形状となっている。カム７６の外周７８に接してカム受け板７９が設けられており、カム受け板７９は冷凍室５に設けられていてカム７６が回転方向８０に回転することによってカム受け板７９が矢印８１方向に押されて移動するので、冷凍室５がカム受け板７９とともに図示左方に開く。このとき、カム７６が破線で示した７６’の位置のとき、カム受け板７９’とは接点８６で接している。このときの接点８６の周速を矢印８３で表すと、カム受け板７９’が図示左側である開き方向に移動する速度は周速の矢印８３の開き方向への投影成分である矢印８４の分だけであり、開き方向と直交した方向への投影成分である矢印８５の分はカム７６とカム板７９とは滑りを生じる。このように、カムを用いた構成の場合の開き方向への速度はカム７６が回転することによって生じるカム７６とカム受け板７９との接点の半径の変化分に過ぎないので、カム受け板７９の受ける速度はカム７６の周速に比して小さいものにすぎず、かつカム７６とカム受け板７９との間には滑りが生じるので、カム７６やカム受け板７９の磨耗や擦れ音の問題が生じ易い。
【００６９】
さらに、図１３に示したカムを用いた構成においては、扉を左方に押し出すだけの機能であって、扉を閉じる機能はない。
【００７０】
（閉じ動作）
冷凍室５を閉じた場合に、何らかの理由でマグネットパッキン１４が吸着されるまで冷凍室５が閉じずに、マグネットパッキン１４と冷蔵庫本体１との間に隙間ができる、所謂半ドア状態になることがある。このように半ドア状態になった際の扉駆動装置１０の動作について、図７を用いて説明する。
【００７１】
図７は本発明による扉駆動装置１０が冷凍室５を閉鎖する際の動作を示す図であり、
（ａ）は冷凍室５が閉鎖されていなくて、連結板１６の図示左端が引込位置３４よりも、閉じ動作を行うことが可能となる閉じ駆動範囲である開き量３５だけ移動した状態にあることを示している。冷凍室５にはクローザ１３が設けられているものとすれば、通常はクローザ１３の生じる引き込み力によって冷凍室は引き込まれて閉じられるのであるが、食品の一部が引っかかったり、何らかの理由でスライドレール１１の動作が一時的に渋くなって引き込まれない場合が稀に生じる。
【００７２】
ここで、回転板１９を駆動軸１８の周りに矢印ＣＷ方向に回転すると、第三の駆動ピン２０ｃが連結板１６の受け面２１とは対面となる図示左側の戻し面２２に当接する。図７（ｂ）は回転板１９を矢印ＣＷ方向にさらに回転させた状態を示しているが、連結板１６は第三の駆動ピン２０ｃによって矢印３６方向に押されて移動するので、連結板１６の図示左端が引込位置３４に至るまで移動する。この図７（ｂ）に示した位置というのはマグネットパッキン１４が冷蔵庫本体１に吸着するまで冷凍室５が完全に閉じられた位置にあることを示している。その後、回転板１９を矢印ＣＣＷ方向に回転して図７（ｃ）の状態となり、図３に示したと同様な位置まで回転させて停止する。
【００７３】
上記のように動作することにより、冷凍室５が完全には閉じずに所謂半ドア状態になっていたとしても、回転板１９を冷凍室５を開く場合とは反対方向に回転させることによって、連結板１６に対して冷凍室５を閉じる方向の力を加えて閉じることができるので、半ドアを防止することができるので好適である。
【００７４】
先に説明したように、冷凍室５を開く際の力はマグネットパッキン１４を引き剥がす力とクローザ１３による引き込み力との合計以上の力が必要となるが、閉じる際にはマグネットパッキン１４を引き剥がす力は不用であり、さらにクローザ１３による引き込み力が生じているので、本発明による扉駆動装置１０によって加える閉じ力は、開き力と比べれば弱い力で十分である。
【００７５】
本実施例によれば、冷凍室５を閉じる際には最も駆動軸１８から遠方にある第三の駆動ピン２０ｃが連結板１６の戻し面２２を押す構成なので、駆動軸１８に加わる駆動トルクが仮に開き時と同一であるとしても、閉じ力は開き力と比べてｒ１／ｒ３だけ小さくなるので好適である。このことはさらに、万一冷凍室５と冷蔵庫本体１との間に指などを挟んだ場合においても、挟む力が小さいので安全性が高い。
【００７６】
さらに、閉じる速度を低速にしてゆっくりと閉じる動作を行った方が安全である。したがって冷凍室５を開く動作よりも閉じる動作を低速にすることが望ましい。
【００７７】
ここで、冷凍室５を閉じることが可能な開き量３５である閉じ駆動範囲について図２により説明すると、開き量３５は、冷凍室５の前面を形成する扉体５ａの厚さである扉厚さ７１よりも小とすることが望ましい。なぜならば、開き量３５を扉厚さ７１よりも大とすると冷凍室５を引き込み開始する際に冷凍室５と野菜室６または切り替え室３の扉の間に生じる扉間隙間７２に指などを挟まれる恐れがあるが、開き量３５が扉厚さ７１よりも小となるようにすれば、指などを挟まれる恐れがないのでさらに安全性が高い。
【００７８】
（手動動作）
次に、図８を用いて、冷凍室５が閉じられた状態にある際の回転板１９の好適な位置について説明する。図８において、実線で図示する連結板１６は図示左端が引き込み位置
３４に合致されており冷凍室５が閉鎖された位置にある。冷蔵庫においては、本発明のような扉駆動装置１０が備えられているとしても、冷凍室５を何らかの理由でユーザが手で引き出す場合もある。または、故障によって扉駆動装置１０が動作しない場合などにおいては、ユーザが手動で自在に開閉できることが望ましい。このように手動で開閉する場合には、扉駆動装置１０は冷凍室５の開閉の際にユーザによる手動動作を妨げたり、動作が重くなる、などの現象が生じない構成であることが望ましい。
【００７９】
冷凍室５が閉じられた状態からユーザが手動で冷凍室５を引き出して開いたとすると、冷凍室５に設けられている連結板１６が図示左側に移動して、破線の位置となる。破線の位置においては各符号には’を付加して記す。ここで、回転板１９が図８の実線で示す位置にあり、その位置において連結板１６に設けられた第二の受け面２１ｂの先端である第二の先端３７ｂと、第一の駆動ピン２０ａとの間に隙間３８があって、連結板１６が図示左方に移動する際に第二の先端３７ｂと第一の駆動ピン２０ａとが接触しない位置関係にあれば、ユーザが手動で冷凍室５を引き出す際に連結板１６と駆動ピン２０とが接触しないので、自在に冷凍室５を引き出して開くことができる。
【００８０】
次に回転板１９が破線の位置１９’にあって、その位置において連結板１６に設けられた第一の先端３７ａと第三の駆動ピン２０ｃとの間に隙間３９があって、連結板１６が図示左方に移動する際に第一の先端３７ａと第三の駆動ピン２０ｃ’とが接触しない位置関係にあれば、ユーザが手動で冷凍室５を引き出す際に連結板１６と駆動ピン２０とが接触しないので、自在に冷凍室５を引き出して開くことができる。
【００８１】
上記で説明したように、ユーザが手動で冷凍室５を開閉する際に連結板１６と駆動ピン２０とが接触しないためには、駆動軸１８と第一の駆動ピン２０ａとを結ぶ線が原点範囲４０の角度範囲内にあればよい。したがって、冷凍室５を閉鎖した場合には、回転板１９が上記の原点範囲４０になるように設定することが望ましく、手動で開閉する際にも使い勝手がよい。このような回転板１９の角度範囲を本発明では原点範囲にある、と称するものとする。
【００８２】
（制御系の構成）
次に図９を用いて扉駆動装置１０を制御するための制御系の構成について説明する。図９は、制御系の構成を示すブロック図である。
【００８３】
開スイッチ８を備えた操作表示部７は、ユーザが開スイッチ８を押した際にその信号を制御基板４１に送る。冷凍室５および野菜室６に設けられた駆動機構１５のそれぞれのモータ２４と、駆動軸１８の回転位置を検出する回転検知手段３２、および扉の開閉状態を検出するドア検知１７とは制御基板４１に接続されている。
【００８４】
９２は冷凍室５の扉体５ａないし野菜室６の扉体６ａに設けられたユーザによって操作される開スイッチのスイッチ本体を示しているが、詳細は後述する。
【００８５】
扉駆動装置１０および制御回路４１の駆動に必要な電力は、電源４２から供給される。
回転検知手段３２は一例としては軸の回転によってその抵抗値が変化する可変抵抗器であり、あるいは軸の所定の回転位置を検出するマイクロスイッチなどの検知手段であってもよい。
【００８６】
ドア検知１７は冷凍室５の扉が完全に閉じられているか否かを検出する第一のドア検知と、冷凍室５扉の開き量が所定の開き量３５以下であるか否かを検出する第二のドア検知とを備えており、例えば扉に備えられたマグネットと冷蔵庫本体１に備えられたホール素子であってもよく、あるいはマイクロスイッチなどの検知手段であってもよい。
【００８７】
操作表示部７には扉が半ドア状態になっていることをユーザに知らせるための報知手段７０が備えられていてもよい。この報知手段７０の一例は、ブザーを鳴動させるかランプを点灯ないし点滅させる。
【００８８】
（開き制御）
図１０を用いて、冷凍室５を開放する際の開き制御の手順について説明する。図１０は冷凍室５を開放する際の開き制御の手順を示す流れ図である。
【００８９】
開き動作を開始（ブロック４３）すると、制御回路４１はユーザによって開スイッチ８が操作されたことを制御回路４１が検出したらモータ２４を通電（ブロック４７）して、回転板１９を回転させる。このときの回転板１９の回転方向は、図３であれば矢印ＣＣＷ方向としており、回転板１９が回転すれば図６にて説明したように連結板１６が駆動ピン２０によって押されて冷凍室５が開く。モータ２４が引き続き回転して、回転検知手段
３２により検出された回転板１９の回転位置が原点範囲４０に入ったことが確認できたら（ブロック４８）、モータを停止させて（ブロック４９）一連の開き動作を終了する（ブロック５０）。
【００９０】
（電圧の掛け方）
ここで、モータに通電（ブロック４７）させて冷凍室５を開き始める際の電圧の加え方について説明する。モータを通電する際に定格電圧を急峻に加えると、モータのコイルには突入電流が流れ、モータは最大の出力トルクを出して停止状態から急激に回転し始める。したがって、冷凍室５が開き始める際には最大の加速を行うことになり、開き始めの動作が急峻で勢いよく開く。
【００９１】
そこで、モータ２４に通電（ブロック４７）する際に定格電圧を急峻に加えるのではなく、通電の当初はたとえば定格電圧の１／２程度の低電圧を加え、扉駆動装置１０が駆動を開始してのち冷凍室５が開くとともに徐々に電圧を高くして、図６に示した開き動作においては（ｃ）ないし（ｄ）の状態となって駆動ピン２０から連結板１６に伝達される開き方向２３への速度が最大になるまでに、連続的に、あるいは断続的に電圧を上昇させて定格電圧にいたるような電圧を変化させる通電を行うことが望ましい。そのように電圧を徐々に増加させることにより、冷凍室５が開きはじめる際の動作がゆっくりとなるので、勢い良く開くことがなく、開き方に高級感を付与できる。
【００９２】
またさらに、図６（ｅ）の状態を過ぎたのちは回転板１９は矢印ＣＣＷ方向に回転を継続して後、図６（ａ）に示した位置まで回転してから停止するのであるが、冷凍室５が開いた後は回転板１９には負荷がかからずに空転する状態となる。したがって、図６（ｅ）の状態を過ぎたのちはモータ２４に加える電圧を定格電圧よりも低くしてモータ２４の回転速度を低速としてもよい。そのようにモータ２４の回転を低速とすることで、モータ
２４から生じる騒音や振動を低減して静粛な動作を実現できる、という効果がある。さらに、回転板１９を図８にて説明した原点範囲４０に確実に停止させたいのであるが、低速で回転させることによってモータ２４が停止時に行き過ぎることがないので停止精度が向上して好適である。
【００９３】
（スイッチの構成）
次に、本発明による開閉機構に使用者が開き指示を与える際のスイッチの構成の一例について説明する。図１９は本発明による扉開閉機構を備えた冷蔵庫の部分断面図であり、図２０は図１９に示したＳ部の拡大図を示している。Ｓ部は冷凍室５の前面を構成する扉体５ａの上縁と、扉が閉じられた際に扉と当接する本体１側の枠体８７の近傍を示している。
【００９４】
扉体５ａの上端には押しボタン８８が設けられており、扉体５ａよりも凸している。押しボタン８８の奥側には押し棒８９が設けられており、押しボタン８８と押し棒８９とは扉体５ａを貫通してスライド可能に支持されている。押しボタン８８と押し棒８９とは戻しスプリンク９０によって生じる戻し力によって図２０（ａ）において図示左向きの力を付与されて図示しないストッパなどによって位置を保持している。
【００９５】
枠体８７の扉体５ａと接する側にはたとえばマイクロスイッチなどのスイッチ本体９２が設けられており、枠体８７の内部をスイッチ本体９２から制御回路４１にいたる配線
９４が設けられている。
【００９６】
使用者が押しボタン８８を手で押すと、図２０（ｂ）に示すように押しボタン８８と押し棒８９とを押し量９１だけ図示右側に移動できる構成であり、押し棒８９がスイッチ本体９２に設けられたプランジャ９３を押してスイッチ本体９２内部に設けられた図示しない接点を閉じて、使用者が押しボタン８８を押した信号を制御回路４１に伝達することができる。
【００９７】
使用者が押しボタン８８から手を離すと、戻しスプリング９０が発生する図示左方向の力によって押しボタン８８と押し棒８９とは図示左側に移動して、図２０（ａ）に示した状態に復帰して、プランジャ９３が復帰してスイッチ本体９２内部の接点は開放された状態に戻る。このような構成とすることにより、スイッチ本体９２と、スイッチ本体９２から制御回路４１とを接続する配線は本体側の枠体８７の内部にのみ設けられる構成とできるので、扉体５ａには配線を設ける必要がない、という効果がある。
【００９８】
上記の構成と異なってスイッチ本体９２を扉体５ａに設けたとすれば、配線９４は扉体５ａから冷蔵庫本体１に引き回して制御回路４１まで接続しなければならないが、扉体
５ａは引き出しとして開閉する構成なので、配線９４は冷凍室５が閉じた際には冷凍室５の最大開きより大なる余長をもってたるんだ状態とする必要がある。この構成において、冷凍室５を引き出す際には上記のたるんだ配線９４も一緒に引き出す必要があるが、開閉の際に配線９４が絡まったり何かに引っかかったりする恐れがある。
【００９９】
（通常時の閉じ制御）
図１１を用いて、冷凍室５が完全に閉じていない、所謂半ドア状態から冷凍室５を閉じる際の制御の手順について説明する。図１１は冷凍室５を閉じる際の閉じ制御の手順を示す流れ図である。制御を開始（ブロック５１）してから第一のドア検知１７ａがドアの閉鎖を検出できず、かつ第二のドア検知１７ｂがドアと冷蔵庫本体１との開き量が開き量
３５以下であることを検出したら、冷凍室５は開き量３５以下で開いた状態にある。もし、第二のドア検知１７ｂが扉を検知できなければ、冷凍室５は開き量３５以上に開いているので、本発明の扉開閉機構では閉じることができない。その場合は、半ドアが所定時間（例えば１分程度）継続したら報知手段７０を鳴動させて半ドアであるというアラームをユーザに報知する（ブロック５７）。
【０１００】
もし、第二のドア検知１７ｂが扉を検知できれば冷凍室５は半ドア状態であってかつ扉駆動装置１０によって閉鎖することが可能な領域なので、モータ２４に通電する（ブロック５８）。このときの回転方向は、図７においてはＣＷ方向である。さらに、この際にはモータ２４に印加する電圧を例えば定格電圧の１／２ないし１／３程度と低くすることで、回転板１６の回転速度を低下させると、回転板１６が低速度でＣＷ方向に回転するので、第三の駆動ピン２０ｃが連結板１９の第三の受け面２１ｃに衝突する衝撃を生じないので好適である。
【０１０１】
モータ２４をＣＷ方向に所定時間、例えば３秒間通電すれば（ブロック５９）、回転板１９は図７（ｂ）の状態に至って連結板１６を矢印３６方向に、すなわち冷凍室５を閉じる方向に移動させて冷凍室５を閉じる。所定時間経過した後に今度はモータ２４がＣＣＷ方向に回転するよう通電して（ブロック６０）、図７（ｃ）に示すように回転板１９が原点範囲４０（図８に示す）になるまで回転させ、回転検知手段３２の信号によって原点範囲４０にあることが検出できたら（ブロック６１）、モータ２４の回転を停止させる（ブロック６２）。ここで、第一のドア検知１７ａが冷凍室５が閉鎖されていることを検出すれば（ブロック６３）、冷凍室５は完全に閉鎖されたことが確認できたので、処理を終了する（ブロック６６）。もし、第一のドア検知ドア検知１７ａが冷凍室５の閉鎖を検知できなければ、半ドア状態が継続していると判断できるので、ブロック５８からブロック
６３までの処理、すなわちモータ２４に通電して回転板１９をＣＷ方向に回転して冷凍室５を閉鎖させる動作を複数回繰り返して行う（ブロック６４）。もし、所定の回数、例えば３回この閉鎖動作を繰り返した後も第一のドア検知１７ａの閉鎖を検知できなければ、例えば何かが挟まっていて冷凍室５を閉鎖できないと判定して、報知手段７０を鳴動させて半ドアであるというアラームをユーザに報知する（ブロック６５）。
【０１０２】
またさらに、例えば子供がドア開スイッチ８を誤って押して冷凍室５が開いて子供の体に当たるなどの現象を防止するためには、図１０にて説明した冷凍室５の開き動作を行わないように開スイッチの動作を無効にして、図１１に示した閉じ動作のみを行うことをユーザが選択できるように設定可能な構成としても良い。
【０１０３】
（４段構成でストローク拡大）
上記の説明は、回転板１９に駆動ピン２０が３本設けられた形態について説明したが、駆動ピン２０は３本に限定されるものではないので図１２において説明する。図１２は回転板１９に第四の駆動ピン２０ｄを、駆動軸１８から距離ｒ４（＞ｒ３）なる位置に設けている。連結板１６には、第四の駆動ピン２０ｄが当接するための第四の受け面２１ｄが設けられている。
【０１０４】
冷凍室５を開く動作の際は、図６に示したと同様の動作を行い、さらに加えて第四の駆動ピン２０ｄが第四の受け面２１ｄを図示左方に押すので、連結板１６が回転板１９から力を受ける範囲が拡大する。また、ｒ４＞ｒ３なので、駆動軸１８の回転速度が一定であるとすれば第四の駆動ピン２０ｄが第四の受け面２１ｄを図示左方に押し出す速度は第四の駆動ピン２０ｄがない場合と比べてｒ４／ｒ３だけ大きくなる。以上説明したように、力の範囲と速度の両方が拡大されるので、冷凍室５を開放した際には冷凍室５の開き量は拡大して、ユーザからみると開スイッチ８を押した後の開き動作の反応が向上して快適な操作感を得ることかできる。
【０１０５】
さらに、回転板１９を矢印ＣＷ方向に回転して連結板１６を図７にて説明したと同様に矢印３６方向に移動して冷凍室５を閉鎖する際には、第四の駆動ピン２０ｄが第四の受け面２１ｄを押すのであるが、第四の駆動ピン２１ｄは駆動軸１８からの距離がｒ４と第三の駆動ピン２１ｃよりも大なので、連結板１６の開き量３５をほぼｒ４／ｒ３だけ大きくしても冷凍室５を閉鎖することができる。このようにすれば、半ドア状態から閉鎖できる開き量３５を拡大できるので、半ドアが発生したとしても、より確実に冷凍室５を閉鎖でき、省エネを実現できるとともに収納された食品が外気の侵入によって劣化するのを防止できる。
【０１０６】
（開閉機構の実装（２））
次に図１４〜図１７をもって、図３に示す扉駆動装置１０を実機の冷蔵庫に組み込む際の回転駆動体及び連結部材について説明する。
【０１０７】
図において、１０は扉駆動装置、１５は冷凍室底壁側に取り付けられる駆動機構、１８は駆動軸、１９は上記駆動軸１８によって回動する回転部材たる回転板、この回転板１９には図に示すごとく、４段構成でストロークを拡大する駆動伝達部材たる駆動ピン２０
（２０ａ…第一の駆動ピン、２０ｂ…第二の駆動ピン、２０ｃ…第三の駆動ピン、２０ｄ…第四の駆動ピン）が設けられている。
【０１０８】
そして、この駆動ピン２０ａ、２０ｂ、２０ｃ、２０ｄと駆動軸１８との間の距離は、引き出し扉を開くときに回転板１９を回転させる方向ＣＣＷとは逆の向きＣＷから順に、回転中心からの距離が長くなる位置になるように形成している。
【０１０９】
またこの駆動ピン２０ａ、２０ｄの高さ方向Ｈ寸法は図１６に示すごとく駆動ピン２０ｂ、２０ｃの高さ寸法ｈより約２倍高く形成されている。言い換えると、図１５に示すように駆動ピン２０ｂ、２０ｃは駆動ピン２０ａ、２０ｄが当接する連結板１６の受け面
２１ａ、２１ｄには上記高さ方向の当接位置の違いで当接しない寸法とされている。
【０１１０】
このことにより、回転板１９と連結板１６との間にもし異常が生じても、駆動ピン２０ｂが受け面２１ａにかみ込み、回転板１９と連結板１６とがロックするのを防止するのものである。同様に駆動ピン２０ｃが受け面２１ｄにかみ込むのも上記高さ方向の当接位置の違いで防止されるものである。
【０１１１】
９５は回転板１９に設けられた磁石、この磁石９５は駆動軸１８により回動する回転板１９の原点位置出しを行うものである。
【０１１２】
すなわち駆動軸１８によって駆動される回転板１９は回動後は先にも説明したように常に図１５に示す位置で止め、例えば停電等があった場合でも連結板１６に干渉されずに扉の開閉が手動でできるようにしておく。
【０１１３】
このために上記磁石９５の位置（図１５に示す位置（原点範囲４０（図８参照））で止めるようにしている。言い換えると、原点範囲４０に磁石９５が位置したかどうかを検知するホールＩＣ（図示なし）が回転板１９の裏側のベース板１５ａに取り付けられ、駆動軸１８の停動を制御しているものである。
【０１１４】
尚この回転検出手段３２は先に説明したごとく、軸の回転によって抵抗値が変化する可変抵抗器あるいは軸の所定位置を検出するマイクロスイッチなどの検出手段であってもよいことは言うまでもない。
【０１１５】
９６は駆動機構１５を形成するベース板１５ａに設けられた案内ガイドである。この案内ガイド９６は２つの突片９６ａ、９６ｂを併設して作られているもので、入り口側の開口が他に比較して図１５のごとく広く形成されている。これは連結板１６の摺動部１６ａが案内ガイド９６に入り易いようにしたためである。すなわち、連結板１６は引き出し扉側に取り付けられているため、冷蔵庫本体側の寸法誤差はもちろん組立誤差の影響を受けることはもちろん、連結板１６が組み付けられる引き出し扉側の寸法誤差、組立誤差の影響を受ける。このため、先の案内ガイド９６内を摺動する摺動部１６ａの位置は左右にずれることが往々にして生じる。この誤差があっても、案内ガイド９６に先の摺動部１６ａが入り易くするためである。
【０１１６】
また上記突片９６ｂには２個のホールＩＣ９７、９８が設けられている。このホール
ＩＣ９７、９８は連結板１６の摺動部１６ａに設けられた磁石９９の接近あるいは離反を検出して動作し、回転板１９を駆動する駆動軸１８を停動する。
【０１１７】
さらに上記ホールＩＣ９７は冷凍室５の扉が完全に閉じられているか否かを検出し、ホールＩＣ９８は冷凍室５の扉の開き量が、回転板１９の閉じ駆動範囲である所定の開き量（例えば開き量３５以下）であるか否かを連結板１６側の磁石９９をともなって検出するものである。
【０１１８】
すなわち、図１６に示すごとくホールＩＣ９７とホールＩＣ９８に磁石９９が対向している時が完全扉閉状態（例えば開き量３５）であり、磁石９９がホールＩＣ９７とホールＩＣ９８との間に位置している時が半ドア状態（例えば開き量３５）で引き出し扉が閉じ駆動範囲にある状態ということとなる。そして、この半ドア状態のときに、回転板１９を図１２に示すようなＣＷ方向に回転させて引き出し扉を閉じるように図９に示す制御手段は制御する。なお、普段は完全閉状態で冷凍室５の扉は待機しているものである。
【０１１９】
上記回転板１９と連結板１６は先に説明した（４段構成でストローク拡大）と同じ要領でそれぞれ動作するものである。
【０１２０】
そして、このものと上記（４段構成でストローク拡大）と異なる点は第一の受け面２１ａには第一の駆動ピン２０ａしか当接できない構造とした点である。
【０１２１】
すなわち第一の駆動ピン２０ａと第二の駆動ピン２０ｂとは高さ寸法が違うために第二の駆動ピン２０ｂは第一の受け面２１ａには届かない構造としてあるということである。
もう一つ大きく異なる点は案内ガイド９６を作り、この案内ガイド９６を作る突片９６ｂに２個のホールＩＣ９７、９８を設けた点である。
【０１２２】
すなわち、この２個のホールＩＣ９７、９８は連結板１６側に設けた磁石９９との位置関係で冷凍室５の開き動作を確実に行うと共に、冷凍室５が完全に閉じずにいわゆる半ドア状態になっていたとしても回転板１９を冷凍室５を開く場合とは反対方向に回転させることによって連結板１６に対して、冷凍室５を閉じる方向の力を加えて閉じることができるので、半ドアを防止して冷却性能の低下防止あるいは省エネ効果を得ることができるものである。
【０１２３】
もちろんこの連結板１６の戻し面２２は図７で説明した要領で第四の駆動ピン２０ｄにより扉を閉じる方向に押されるものである。
【０１２４】
なお、戻し面２２はこの時駆動ピン２０ｄの動きを良好なものとするために摺動部１６ａと垂直な角度から４５度以下の傾斜面としておくのがよい。
【０１２５】
また、駆動装置１５は冷凍室５を構成する箱体側にネジ等をもって固定される。従って、冷凍室の扉引き出し時回転板１９は当然箱体側に残る。一方冷凍室扉側に取り付けられる連結板１６は扉と共に引き出される。この扉引き出し時には当然先に説明してきた回転板１９と連結板１６との係合関係は解除される。言い換えると、上記回転板１９と連結板１６との取り付けの構造は非常に重要なウエイトを占めている。
【０１２６】
このために本実施例においては、回転板１９が取り付けられているベース材１５ａと案内ガイド９６を一体に作り寸法を確保すると共に、該案内ガイド９６を作る突片９６ａ、９６ｂ間のガイド溝幅寸法を連結板１６側の摺動部１６ａの肉厚に近づけるなどし、回転板１９と連結板１６両者の取り付け位置を確保し、寸法関係を安定化させている。
【０１２７】
さらに、連結板１６を扉側に取り付けることによる箱体に対する上下寸法のバラツキは突片９６ａ、９６ｂと摺動部１６ａのラップ代を十分確保しておくことにより対策されている。
【０１２８】
（上下段の動作）
さらに、本発明による扉駆動装置を冷凍室５および野菜室６の両方に設けた場合の動作について説明する。ここでは図２に示すように、野菜室６が最も下段の底面近傍にあり、その上段に冷凍室５が設けられているものとする。
【０１２９】
ユーザが冷蔵庫１の正面に立って冷凍室５を開いたときに、冷凍室５が電動で開く量は例えば１５ｃｍないし２０ｃｍ程度であるとすれば、開いた際に冷凍庫の内部を開口部から見渡すことができるので好適である。一方、野菜室６においては、野菜室６が床面近傍にあるために冷凍室と同様に開くとすれば、開いた際に野菜室６の扉の下端がユーザのつま先に当たる恐れがある。
【０１３０】
扉を開放した際に野菜室６の扉の下端がユーザのつま先に当たることを防止するために、下段にある野菜室６は、上段にある冷凍室５と比べて開く際の開き速度を遅くすることと、さらには開き量を例えば１０ｃｍ以内と小さくすることが安全上望ましい。
【０１３１】
なお、上記の説明では野菜室が冷凍室よりも下段にあるものとして説明したが、冷凍室が野菜室よりも下段にある場合には冷凍室の開き量ないし開き速度を野菜室よりも小とすることが望ましい。
【０１３２】
（電源投入時の閉じ制御）
次に図２１を用いて冷蔵庫本体１の電源投入および停電復帰（以下電源投入と称する）時の制御の手順について説明する。図２１は、冷蔵庫本体１の電源投入時の制御の手順を示す流れ図である。冷蔵庫本体１は電源投入すると、扉駆動装置１０の制御を開始（ブロック５１）して第一のドア検知であるホールＩＣ９７がドアの閉鎖を検出できず（ブロック５４）、かつ第二のドア検知であるホールＩＣ９８がドアと冷蔵庫本体１との開き量が所定量（例えば閉じ駆動範囲にある開き量３５以下）であることを検出したら（ブロック５６）、冷凍室５は開き量３５以下で開いた状態にある。もし、第二のドア検知であるホールＩＣ９８が扉を検知できなければ、冷凍室５は開き量３５以上に開いているので、本発明の扉開閉機構では閉じることができない。その場合は、半ドアが所定時間（例えば１分程度）継続したら報知手段７０を鳴動させて半ドアであるというアラームをユーザに報知する（ブロック５７）。
【０１３３】
もし、第二のドア検知であるホールＩＣ９８が扉を検知できれば冷凍室５は半ドア状態であり、扉駆動装置１０によって閉鎖することが可能な領域であるが、この閉じ制御を電源投入時に勝手に行うとユーザの予測しない動作となる為、電源投入後に一旦ドアが閉鎖または開放されたかを判断し（ブロック５２）、既に閉鎖または開放されていると判断した場合は、モータ２４に通電する（ブロック５８）。このときの回転方向は、図７においてはＣＷ方向である。さらに、このときモータ２４に印加する電圧を例えば定格電圧の１／２ないし１／３程度と低くすることで、回転板１６の回転速度を低下させると、回転板１６が低速度でＣＷ方向に回転するので、第三の駆動ピン２０ｃが連結板１９の第三の受け面２１ｃに衝突する衝撃を生じないので好適である。
【０１３４】
モータ２４をＣＷ方向に所定時間、例えば３秒間通電すれば（ブロック５９）、回転板１９は図７（ｂ）の状態に至って連結板１６を矢印３６方向に、すなわち冷凍室５を閉じる方向に移動させて冷凍室５を閉じる。さらに所定時間経過した後に今度はモータ２４がＣＣＷ方向に回転するように通電して（ブロック６０）、図７（ｃ）に示すように回転板１９が原点範囲４０（図８に示す）になるまで回転させ、図１５に示す位置に回転板１９が位置しているかどうかを、回転板１９に取り付けられ磁石９５の裏側でベース板１５ａに設置されたホールＩＣ（図示せず）で検知する回転検知手段３２の信号によって原点範囲４０にあることが検出できたら（ブロック６１）、モータ２４の回転を停止させる（ブロック６２）。ここで、第一のドア検知であるホールＩＣ９７が冷凍室５の閉鎖を検知すれば（ブロック６３）、冷凍室５は完全に閉鎖されたことが確認できたので、処理を終了する（ブロック６６）。もし、第一のドア検知１７ａが冷凍室５の閉鎖を検知できなければ、半ドア状態が継続していると判断できるので、ブロック５８からブロック６３までの処理、すなわちモータ２４に通電して回転板１９をＣＷ方向に回転して冷凍室５を閉鎖させる動作を複数回繰り返して行う（ブロック６４）。もし、所定の回数、例えば３回この閉鎖動作を繰り返した後も第一のドア検知１７ａの閉鎖を検知できなければ、例えば何かが挟まっていて冷凍室５を閉鎖できないと判定して、報知手段７０を鳴動させて半ドアであるというアラームをユーザに報知する（ブロック６５）。
【０１３５】
電源投入後に一旦ドアが閉鎖または開放されていない（ブロック５２）と判断した場合は、再び制御の開始（ブロック５１）に戻り、第一のドア検知の判定（ブロック５４）から再開し、勝手に閉じ制御をしないことでユーザの予測しない動作を防止する。
【０１３６】
また、図２２に示すように電源投入後が半ドアの状態で、まだドアが閉鎖または開放されていない（ブロック５２）と判断した場合には、勝手に閉じ制御を行わず、所定時間
（例えば１分程度）半ドアが継続し半ドアアラームを報知したあと、それでもまだ半ドア状態が継続している場合は、ユーザが冷蔵庫周辺には不在と判断して、通常の閉じ制御と同様にモータ２４に通電して閉じ制御を行い半ドアを防止する。また、前記ユーザが冷蔵庫周辺には不在と判断したあと、扉を閉鎖方向に駆動する時に、扉開放の報知手段を用いて警告しながら扉を閉鎖駆動することで安全性が高まる。
【０１３７】
本実施例によれば、冷蔵庫の引出し扉の開き力を低減して軽快に扉を開放することが可能となり、又は、いわゆる半ドア状態から自動的に扉を閉鎖して省エネ効果を向上させることができる。冷蔵庫の設置時や停電復帰時などの電源投入時に、扉の開き量が閉じ駆動範囲内であっても扉駆動装置が駆動せず、半ドアアラームで報知し一旦ユーザに扉を閉鎖あるいは開放させた以降から閉じ制御を行うので、安全でかつユーザが予測しない動きを防止することができるという効果がある。
【０１３８】
すなわち、冷凍室５を閉鎖状態から開き始める際には駆動軸１８のもっとも近傍に配置された第一の駆動ピン２０ａが連結板１６を押し出して駆動することで、低速であるが大きな力を出してマグネットパッキンを引き剥がし、引き続き第一の駆動ピン２０ａよりも遠方に設けられた第二の駆動ピン２０ｂが連結板１６を押し出して中程度の速度で中程度の力を出して駆動することでクローザ１３の引込力に抗して開き動作を継続して冷凍室５を加速し、さらに引き続いて第二の駆動ピン２０ｂよりも駆動軸１８から遠方に設けられた第三の駆動ピン２０ｃが連結板１６を押し出して、力は小さいが高速で駆動することによって冷凍室５をさらに加速することができるので、冷凍室５の開き動作を確実に行うのに都合が良く、確実に開き動作を行うことができる、という効果がある。
【０１３９】
さらに、冷凍室５が完全には閉じずに所謂半ドア状態になっていたとしても、回転板
１９を冷凍室５を開く場合とは反対方向に回転させることによって、連結板１６に対して冷凍室５を閉じる方向の力を加えて閉じることができるので、半ドアを防止して省エネ効果が得られる。上記の閉鎖動作を複数回繰り返すことで半ドア防止をさらに確実化する効果が得られる。
【０１４０】
さらに冷凍室を閉じ始める開き量３５が扉厚さ７１よりも小となるようにすれば、指などを挟まれる恐れがないので安全性が高い、という効果がある。
【０１４１】
手動で開閉する場合には、本発明による扉開閉機構は冷蔵庫本体に設けられた駆動機構と、引き出し扉と一体に設けられた連結板とは接触しないので、引き出しの開閉の際にユーザによる手動動作を妨げたり、開閉動作が重くなる、などの現象が生じないので使い勝手がよく、また万一の故障の際にもユーザの使い勝手を損なうことがない、という効果がある。
【０１４２】
また、駆動機構（回転板）と連結板との係合（摺動）時回転板側の駆動ピンのかみ込みという事故が生じないことはもちろん、案内ガイドを設けることにより、確実な組み合わせを確保することができるものである。
【０１４３】
さらに本発明によれば、冷蔵庫の設置直後の電源投入時や、停電復帰した際の電源投入時に、扉の開き量が閉じ駆動範囲内であったとしても、扉駆動装置を駆動せず、一旦ユーザに扉の開閉を行わせることで扉開閉に意識を向けさせ、それ以降から扉駆動装置を駆動することにより、ユーザが予測しない勝手な動きを防止するという効果がある。
【０１４４】
さらに、冷蔵庫の設置直後の電源投入時や、停電復帰した際の電源投入時に、扉の開き量が閉じ駆動範囲内であったとしても、扉駆動装置を駆動せず、一旦ユーザに扉の開閉を行わせて扉開閉に意識を向けて閉じ制御をするか、あるいは所定時間半ドアが継続し半ドアアラームが鳴動したあともさらに所定時間経過するのを監視して、それでもまだ半ドア状態が継続している場合は、ユーザが冷蔵庫付近にいないと判断し扉駆動装置を駆動して引き出し扉を閉鎖させることにより、半ドアを防止できて省エネ効果が得られ、また前記ユーザが冷蔵庫付近にいないと判断しても、扉駆動装置を駆動する際にはアラームを鳴動させながら駆動することで、ユーザへ注意を促し、より安全な制御が出来るという効果がある。
【０１４５】
（他への適用）
なお、本実施例においては扉駆動装置１０が冷凍室５ないし野菜室６の引き出し扉に設けられている例を示したが、本実施例に限定されるものではなく冷蔵室扉２の回転式の扉に設けられるものであっても同様な効果が得られることは言うまでもない。
【０１４６】
また、本実施例においては冷蔵庫に扉駆動装置を備えた構成について説明したが、冷蔵庫に限定されるものではなく、例えば文書類を保管するファイルキャビネットや、手前に引き出して使用する流し台組み込み型の食器洗い乾燥機、などの引き出し式の機器に適用でき、その場合にも本発明にて説明したと同様な効果があることは明らかである。
【０１４７】
本実施例においては、駆動機構１５は平歯車のみによって構成される例を示したが、平歯車に限定されるものではなく、ウォームギヤを用いた構成であってもよい。
【０１４８】
またさらに、駆動ピン２０は本実施例のような円筒状のピンではなく、回転式のローラであってもよい。
【０１４９】
また、ユーザが冷蔵庫付近にいないと判断するために、人を直接感知する手段（エリアセンサなど）を設けて、ユーザが冷蔵庫付近にいないことを判断してもよい。
【図面の簡単な説明】
【０１５０】
【図１】本発明による冷蔵庫の構成を示す斜視図。
【図２】本発明による冷蔵庫の構成を示す断面図。
【図３】本発明による冷蔵庫の引き出し扉駆動装置の構成を示す平面図。
【図４】本発明による冷蔵庫の引き出し扉駆動装置の構成を示す斜視図。
【図５】本発明による冷蔵庫の引き出し扉駆動装置の構成を示す斜視図。
【図６】本発明による冷蔵庫の引き出し扉駆動装置の開き動作を説明する図。
【図７】本発明による冷蔵庫の引き出し扉駆動装置の閉じ動作を説明する図。
【図８】本発明による冷蔵庫の引き出し扉駆動装置の停止時の位置を説明する図。
【図９】本発明による冷蔵庫の引き出し扉駆動装置の制御系の構成を示すプロック図。
【図１０】本発明による冷蔵庫の引き出し扉駆動装置の開き動作の際の制御手順を示す流れ図。
【図１１】本発明による冷蔵庫の引き出し扉駆動装置の閉じ動作の際の制御手順を示す流れ図。
【図１２】本発明による冷蔵庫の引き出し扉駆動装置の別の構成を示す図。
【図１３】従来のカムによる構成を説明する図。
【図１４】図３に示す回転駆動体を中心とする各部材の取り付け状態を説明する駆動機構の斜視図。
【図１５】扉駆動装置の動作を説明するための上面図。
【図１６】図１５の扉駆動装置の側面図。
【図１７】図１５の扉駆動装置の正面図。
【図１８】本発明による冷蔵庫の引き出し扉駆動装置の開き動作を説明する図。
【図１９】本発明による冷蔵庫の引き出し扉駆動装置の開スイッチの構成を示す図。
【図２０】本発明による冷蔵庫の引き出し扉駆動装置の開スイッチの構成を示す拡大図。
【図２１】本発明による冷蔵庫の引き出し扉駆動装置の電源投入時の閉じ動作の際の制御手順を示す流れ図。
【図２２】本発明による冷蔵庫の引き出し扉駆動装置の電源投入時の閉じ動作の際の制御手順を示す流れ図。
【符号の説明】
【０１５１】
１  冷蔵庫本体  
２  冷蔵室
２ａ  冷蔵室扉
３  切り替え室
３ａ  切り替え室扉
４  製氷室
５  冷凍室
５ａ  冷凍室扉
６  野菜室
６ａ  野菜室扉
７  操作表示部
８  開スイッチ
１０  扉駆動装置
１１  スライドレール
１２  容器
１３  クローザ
１４  マグネットパッキン
１５  駆動機構
１５ａ  ベース板
１６  連結板
１６ａ  摺動部
１７  ドア検知
１７ａ  第一のドア検知
１７ｂ  第二のドア検知
１８  駆動軸
１９  回転板
２０  駆動ピン
２０ａ  第一の駆動ピン
２０ｂ  第二の駆動ピン
２０ｃ  第三の駆動ピン
２０ｄ  第四の駆動ピン
２１  受け面
２１ａ  第一の受け面
２１ｂ  第二の受け面
２１ｃ  第三の受け面
２１ｄ  第四の受け面
２２  戻し面
２３  開き方向
２４  モータ
２５  モータピニオン
２６  アイドラ
２７  アイドラピオン
２８  アイドラ
２９  アイドラピオン
３０  駆動ギヤ
３１  トルク制限手段    
３２  回転検知手段
３３  移動量
３４  引込位置
３５  開き量
３６  矢印
３７ａ  第一の先端
３７ｂ  第二の先端
３７ｃ  第三の先端
３８  隙間
３９  隙間
４０  原点範囲
４１  制御回路
４２  電源
７０  報知手段
７１  扉厚さ
７２  扉間隙間
７３  最大開き量
７４  惰性開き量
７５  接点
７６  カム
７７  回転中心
７８  カム外周
７９  カム受け板
８０  回転方向
８１  矢印
８２  カム半径
８３  周速
８４  開き速度
８５  滑り速度
８６  接点
８７  枠体
８８  押しボタン
８９  押し棒
９０  戻しスプリング
９１  押し量
９２  スイッチ本体
９３  プランジャ
９４  配線
９５  磁石
９６  案内ガイド
９６ａ、９６ｂ  突片
９７  ホールＩＣ
９８  ホールＩＣ
９９  磁石
【図１】
2008196753.tif 000003
【図２】
2008196753.tif 000004
【図３】
2008196753.tif 000005
【図４】
2008196753.tif 000006
【図５】
2008196753.tif 000007
【図６】
2008196753.tif 000008
【図７】
2008196753.tif 000009
【図８】
2008196753.tif 000010
【図９】
2008196753.tif 000011
【図１０】
2008196753.tif 000012
【図１１】
2008196753.tif 000013
【図１２】
2008196753.tif 000014
【図１３】
2008196753.tif 000015
【図１４】
2008196753.tif 000016
【図１５】
2008196753.tif 000017
【図１６】
2008196753.tif 000018
【図１７】
2008196753.tif 000019
【図１８】
2008196753.tif 000020
【図１９】
2008196753.tif 000021
【図２０】
2008196753.tif 000022
【図２１】
2008196753.tif 000023
【図２２】
2008196753.tif 000024